(57)【特許請求の範囲】
【請求項１】
動物骨粉と遠赤外線放射性粉末を混合してなる粒状体が不織布又は織布により被覆されてなる上層部と、
不織布又は織布に動物骨粉を含浸、塗布または練り込んでなる下層部と、
熱源部を備え、前記上層部及び下層部を患部に付着するサポーターと、
からなることを特徴とする温熱治療具。
【請求項２】
前記動物骨粉が、動物生骨を煮沸し、９００°Ｃ〜１１００°Ｃ前後で焼成し、破砕して得られたものであることを特徴とする請求項１記載の温熱治療具。
【請求項３】
前記動物骨粉が牛骨粉であることを特徴とする請求項１又は２記載の温熱治療具。
【請求項４】
前記下層部は、前記不織布又は織布を、５０°Ｃ〜１００°Ｃ前後の、水約７０〜９０重量部に対して前記動物骨粉約３０〜１０重量部を混入した溶液に、約２４時間〜３６時間前後浸し、該動物骨粉を含浸した後、乾燥させて得たものであることを特徴とする請求項１乃至３記載の温熱治療具。
【請求項５】
前記下層部は、前記不織布又は織布に、該不織布又は織布の１００重量部に対して前記動物骨粉約３０〜１０重量部を、加熱下で練り込んで得たものであることを特徴とする請求項１乃至３記載の温熱治療具。
【請求項６】
前記下層部は、前記不織布又は織布に、該不織布又は織布の１００重量部に対して前記動物骨粉約３０〜１０重量部を、加熱下で所要のバインダーを使用して塗布して得たものであることを特徴とする請求項１乃至３記載の温熱治療具。
【請求項７】
前記熱源部が、電池ヒーターで構成されていることを特徴とする請求項１乃至６記載の温熱治療具。
【発明の詳細な説明】
【０００１】
【産業上の利用分野】
本発明は、薬害の危険性のない、簡易な装置で温熱効果により患部を有効に治療可能な温熱治療具に関する。
【０００２】
【従来の技術】
患部を発熱体により温めて、血行の促進等により凝り、痛み等の治療と共に、体内の諸機能を高めて健康増進を図る治療法は古くから行われている。
【０００３】
発熱体として消炎剤等の化学剤を配合した温湿布が使用され、筋肉痛等の治療に利用されている。
【０００４】
しかしながら、消炎剤等の化学剤を配合した温湿布は、患部から剥がれやすく、そのため治療の効果が低下したり、また包帯等により締めつけ固定した場合は化学剤が体に適合しない等の理由により人体の皮膚に障害をもたらすことがある。更には、化学剤特有の臭気を放ち敬遠されがちであった。
【０００５】
また、発熱体として赤外線や遠赤外線を利用して、これらを患部に放射することにより、血行促進等による凝り、痛み、打ち身等の治療方法がある。
【０００６】
このような赤外線や遠赤外線放射による治療にあっては、局部的な治療となり、放射されない部分との温度変化を生じて十分な治療ができなかった。また、この治療には複雑な装置が必要である。
【０００７】
【発明が解決しようとする課題】
本発明は上記事情に鑑みなされたものであり、簡易な装置で、薬害等の危険性を伴わない温熱治療を可能にする温熱治療具を提供することを目的とする。
【０００８】
【課題を解決するための手段】
本発明に係る温熱治療具は、動物骨粉と遠赤外線放射性粉末を混合してなる粒状体８が不織布又は織布７により被覆されてなる上層部１と、不織布又は織布に動物骨粉を含浸、塗布または練り込んでなる下層部２と、熱源部を備え、前記上層部及び下層部を患部に付着するサポーター３とからなることを特徴とする。
【０００９】
また、前記動物骨粉が、動物生骨を煮沸し、９００°Ｃ〜１１００°Ｃ前後で焼成し、破砕して得られたものであることを特徴とする。
【００１０】
前記動物骨粉が牛骨粉であることを特徴とする。
【００１１】
前記下層部２は、前記不織布又は織布７を、５０°Ｃ〜１００°Ｃ前後の、水約７０〜９０重量部に対して前記動物骨粉約３０〜１０重量部を混入した溶液に、約２４時間〜３６時間前後浸し、該動物骨粉を含浸した後、乾燥させて得たものであることを特徴とする。
【００１２】
前記下層部２は、前記不織布又は織布７に、該不織布又は織布１００重量部に対して前記動物骨粉約３０〜１０重量部を、加熱下で練り込んで得たものであることを特徴とする。
【００１３】
前記下層部２は、前記不織布又は織布７に、該不織布又は織布１００重量部に対して前記動物骨粉約３０〜１０重量部を、加熱下で所要のバインダーを使用して塗布して得たものであることを特徴とする。
【００１４】
前記熱源部４が、電池ヒーターで構成されていることを特徴とする。
【００１５】
【作用】
本発明によれば、熱源部としての電池ヒーターを備えるサポーター３が、上層部１と下層部２を人体の足等の治療対象部に確実に付着固定し、当該患部を確実に温熱治療できる。
【００１６】
前記上層部１に被覆された粒状体８に混在される遠赤外線放射性粉末は、高い保温作用を有し、動物骨粉は吸熱、放熱作用を有するものである。また遠赤外線放射性粉末が健康増進に効果があることは従来から知られるところである。
【００１７】
また、本発明に係る動物骨粉の粒子は、その内外にわたって連通存在する無数の微小気孔のために熱に反応して水分、悪臭等の吸着性と共に、吸熱、放熱の働きが極めて強い。更に、該動物骨粉はアルカリ性のため乾燥を促進する働きがあると共に殺菌効果があり、人体に悪害を及ぼす危険性はない。
【００１８】
ヒーター６が発生する熱は、上層部１に含まれる動物骨粉と遠赤外線放射性粉末を混合してなる粒状体により、吸熱、保温され、動物骨粉が混在する下層部２に伝えられる。
【００１９】
炎症した患部から発生する熱は、前記下層部２による放熱、吸熱作用によって解熱され、冷たくなった患部は該下層部２の放熱作用によって温められ、血行が促進され治癒される。また加熱により発生する患部付近からの汗等の分泌物や悪臭は該下層部２に吸着され、常に快適な治療が受けられる。
【００２０】
本発明によれば、消炎剤等による皮膚疾患を起こす危険性はなく、患部の局部的な治療ではなく一定の温熱による患部の周囲全体の治療が可能であり、簡易な装置で、快適で有効な温熱治療が可能となる。
【００２１】
更に、本発明によれば、温熱治療に伴う患部及びその周辺の乾燥状態が保持され、蒸れや悪臭を解消して、常に清潔な温熱治療を受けることができる。
【００２２】
【実施例】
次に、本発明を具体化した実施例を添付図を参照しながら説明する。図１は本発明に係る温熱治療具を足の関節の治療に使用する例を示す外観図であり、図２は本発明に係る温熱治療具の構成を説明するための拡大断面図である。
【００２３】
図３は本発明に係る上層部の構成を説明するための拡大断面図であり、図４は本発明に係る上層部表面部の構成を説明するための平面図であり、図５は本発明に係る下層部の構成を説明するための拡大断面図である。
【００２４】
図において、１は上層部、２は下層部、３はサポーター、４は電池、５はタイマー、６はヒーター、７は不織布、８は粒状体、９は動物骨粉、１０は上層部表面の縫目である。
【００２５】
図１、図２に示されるように、本発明はサポーター３、上層部１、及び下層部２により構成され、サポーター３は上層部１と下層部２を人体の治療対象部に付着固定するものである。
【００２６】
また、サポーター３、上層部１、下層部２は例えば粘着テープ、マグネット等により付着され、互いに着脱自在に順に組み合わされている。上層部１及び下層部２は一定期間使用した後に新たなものと交換することが必要であり、新たなものと交換することにより、治療効果を発揮するものである。
【００２７】
前記サポーター３は、熱源部として電池４とヒーター６を備え、例えばゴム等により伸縮自在の素材により構成される。また、該サポーター３はタイマー５を備えており、該タイマー５は患部の場所や炎症度合い等により、温熱治療の時間を制御する。
【００２８】
また、前記サポーター３の形状は、足等を被覆できる筒状の構成とするか、あるいは帯状にして両端部に例えば粘着テープを取り付けて患部を巻いた後に、当該端部同士を付着する構成とすることができる。
【００２９】
例えば、腰や首等を治療する場合には帯状のサポーターによる方が便利であり、手や足等の治療には筒状のサポーターによる方が便利である。
【００３０】
このような構成のサポーター３は、上層部１と下層部２を人体の治療対象部に確実に付着固定して、上層部１と下層部２が患部から剥がれることなく当該患部の治療を確実かつ有効に行うことができる。
【００３１】
なお、ここでは熱発生源として電池を利用した場合を例示しているが、熱発生源は電池に限られることはなく、一般の交流電源を利用してもよく、またバッテリーを利用してもよい。更には、熱発生源として温風ドライヤーやカイロを利用してもよい。
【００３２】
熱源からの熱は、２５°Ｃ〜５０°Ｃ前後が好ましく、更に好ましくは３０°Ｃ〜４５°Ｃであり、加熱時間は患部の種類、炎症の程度等により決定し、タイマー５により制御される。
【００３３】
図３に示されるように、上層部１は不織布７と複数の粒状体８とにより構成され、複数の粒状体８が不織布７により被覆されている。
【００３４】
図４に示されるように、上層部１は、不織布７に被覆される複数の粒状体８が一部への偏りを防止するために、該複数の粒状体８を被覆した後、縫目１０を施してある。
【００３５】
本発明においては、前記複数の粒状体８を被覆する素材としては、通気性の点で不織布が好ましいが、通気性のある織布、特に木綿や羊毛等の天然繊維の織布であってもよい。
【００３６】
本発明で用いる粒状体８は、動物骨粉と遠赤外線放射性粉末を混合、練り合わせて、粒状に成形し、焼成して得たものである。
【００３７】
本発明で用いる動物骨粉は、従来屠殺場等でほとんど廃棄されている骨、特に牛、馬、羊等の硬骨が主体の動物の骨であり、ここでは牛の生骨を次のように処理して得た。
【００３８】
生骨を焼成しやすい大きさに切断し、煮沸し、９００°Ｃ〜１１００°Ｃ前後で焼成する。骨に骨成分以外のゼラチン、脂肪、蛋白質、にかわ等の有機物が残存すると酸化腐敗の原因となるので、これを確実に除去しておくことが必要である。
【００３９】
上記煮沸工程によって、骨の外側のみならず気孔内に付着している有機物を骨から大方分離除去することができる。
【００４０】
その上で上記焼成工程を通すことによって、残存する有機物を完全に除去することができ、同時に骨中の湿度 (水分) を数％以下、好ましくはほぼ０％にまで低下させることができる。
【００４１】
上記焼成条件によれば、骨は白骨化して無数の気孔を有した原形組織状態を維持する。上記焼成冷却後、この骨を破砕して骨粉とする。
【００４２】
上記骨粉は、生骨の場合、原料の生骨に比して重量比約４０％の収量が得られる。粒子は、カルシウム（約３３重量％）を主成分とし、リン（約１６．７重量％) 、バリウム (約１．０３重量％) 、ナトリウム (約０．７６重量％) 、イオウ (約０．６４重量％) 、他にマグネシウム、カリウム、塩素、アミン、鉄等からなっており、粒子の内外にわたって無数微小気孔が連通存在しており、アルカリ性であり、イオン交換作用を発揮する。
【００４３】
この場合の該動物骨粉は、パウダー機にかけて２００〜２５０メッシュ、更に好ましくは２２０〜２３０メッシュとしたものが望ましい。
【００４４】
上記したようにして得た動物骨粉の粒子は、骨は白骨化して無数の気孔を有した原形組織状態を維持する。その内外にわたって連通存在する無数の微小気孔のために熱に反応して水分、臭い等の吸着性と共に、吸熱、放熱の働きが極めて強い。更に、該動物骨粉はアルカリ性のため乾燥を促進する働きがあると共に殺菌効果を有する。
【００４５】
なお、本実施例では遠赤外線放射性粉末と混合する粉状物として、前記のようにして得た牛骨粉を用いたが、該牛骨粉に代えて、馬、羊等の骨粉、石灰粉、サンゴ粉、カキガラ粉等を用いてもよい。
【００４６】
本発明では、前記動物骨粉と混合する遠赤外線放射性粉末として、一般用に従来から市販されている天然の流紋岩の粉末を使用したが、遠赤外線効果としての保温効果、健康増進効果があるものであれば、これに限定されない。
【００４７】
本発明で用いる粒状体８に係る前記動物骨粉と遠赤外線放射性粉末との混合比率は、７０対３０、好ましくは６０対４０、更に好ましくは５０対５０が望ましい、ここでは両者の混合比率を約５０対５０とした動物骨粉と遠赤外線放射性粉末を、水を加えて練り合わせ、約１ｍｍ〜３ｍｍ径の粒状に成形し、焼成、乾燥して得た。このようにして得た粒状体を不織布で被覆して上層部を得た。
【００４８】
このようにして得た粒状体は、遠赤外線放射性粉末による保温効果を有すると共に、動物骨粉による吸熱、放熱、水分、臭い等の吸着性、乾燥促進等の効果を有する。また両者の相乗効果により吸熱、放熱、保温効果が更に増す。
【００４９】
次に、図５に示される下層部２について説明する。図に示すように下層部２は動物骨粉が含浸または練り込まれた不織布７である。該下層部２は該動物骨粉を塗布した不織布であってもよい。
【００５０】
ここで用いる動物骨粉を混在させる素材としては、動物骨粉を含浸、塗布または練り込む点、及び通気性の点で不織布が好ましいが、通気性のある織布、特に木綿や羊毛等の天然繊維の織布を利用することができる。
【００５１】
ここで用いる該素材は、混在する動物骨粉の作用が発揮され、患部からの吸熱、また患部の汗、悪臭等を吸着できるように通気性が確保されることが必要である。
【００５２】
なお、前記不織布７に含浸、塗布または練り込む動物骨粉は前記したようにして得たものであるから、ここではその説明を省略する。
【００５３】
また、本実施例では素材に含浸、塗布または練り込む粉状物として、前記と同様牛骨粉を用いたが、該牛骨粉に代えて、馬、羊等の骨粉、石灰粉、サンゴ粉、カキガラ粉等を用いてもよい。
【００５４】
また、該動物骨粉を含有させる方法としては、前記不織布又は織布７を、５０°Ｃ〜１００°Ｃ前後、更に好ましくは６０°Ｃ〜９０°Ｃ前後の、水約７０〜９０重量部に対して前記動物骨粉約３０〜１０重量部、更に好ましくは水約８０重量部に対して前記動物骨粉約２０重量部を混入した溶液に、約２４時間〜３６時間前後浸し、該動物骨粉を含浸させる方法があげられる。
【００５５】
また、前記不織布又は織布７に、該不織布又は織布１００重量部に対して前記動物骨粉約３０〜１０重量部、更に好ましくは約２０重量部を、加熱下で練り込む方法があげられる。
【００５６】
更に、前記不織布又は織布７に、該不織布又は織布１００重量部に対して前記動物骨粉約３０〜１０重量部、更に好ましくは約２０重量部を、加熱下で所要のバインダーを使用して塗布する方法があげられる。
【００５７】
本実施例においては、前記動物骨粉を混在させる素材として不織布を用い、該不織布に含浸させる牛骨粉は約２００〜２５０メッシュに破砕したものを用いた。そして該不織布への前記牛骨粉の含浸は次のように行い、前記下層部を得た。
【００５８】
先ず、約８０°Ｃ前後の水に、水約８０重量部に対して前記動物骨粉約２０重量部を混ぜ合わせた溶液を用意した。
【００５９】
次いで、前記溶液に不織布を、約３０時間前後浸して、不織布に牛骨粉を含浸させた後、自然乾燥させて前記下層部を得た。
【００６０】
前記したようにして得た上層部１及び下層部２を、それぞれ縦約３０ｃｍ、横約２０ｃｍに切断、成形して、膝の治療用とした。ここでは膝治療用とするために前記サイズとしたが、例えば、腰治療用、首治療用等のために各種サイズの上層部及び下層部を用意することにより、人体の各部の治療用として用いることができる。
【００６１】
このようにして得られた上層部１及び下層部２は、その表面を密封する必要もなく、また上層部及び下層部を固める必要もないので、通気性を保有している。
【００６２】
前記上層部１及び下層部２に含まれる遠赤外線放射性粉末、動物骨粉の作用により、熱源部からの温熱を吸熱、放熱、保温して患部の治療を確実に行うと共に、患部及びその周辺から発生する汗等の分泌物や悪臭は下層部２に含まれる該動物骨粉に吸着され、清潔さを維持することができる。
【００６３】
また、該動物骨粉の放熱作用で放出されるアルカリ性ガスのイオン交換作用により治療部分の乾燥を行うことができる。
【００６４】
本発明に係る治療具を足の膝の腫れと痛みの治療に使用したところ、２日間で腫れがひくと共に痛みがとれ、治療後に該治療具を外したが、足の膝部分は乾燥された状態を維持しており、炎症剤による場合に発生する特有の臭いや悪臭もなかった。
【００６５】
なお、本実施例ではサポーターの内側に上層部と下層部の２層を配設するように構成したが、これを１層にした治療具とすることもできる。
【００６６】
また、本発明に係るサポーター、上層部、下層部の各種サイズのものを用意することにより、各種の患部の治療に使用することができる。
【００６７】
【発明の効果】
以上説明したように、本発明に係る治療具によれば、消炎剤等による皮膚疾患を起こす危険性はなく、患部及びその周囲を満遍なく一定の温熱で治療可能であり、簡易な装置で有効な温熱治療が可能となる。
【００６８】
更に、本発明によれば、温熱治療に伴う患部の乾燥状態を保持し、蒸れや悪臭を解消して、常に清潔な温熱治療を受けることができる。
【図面の簡単な説明】
【図１】本発明に係る温熱治療具を足の関節の治療に使用する例を示す外観図である。
【図２】本発明に係る温熱治療具の構成を説明する拡大断面図である。
【図３】本発明に係る上層部の構成を説明する拡大断面図である。
【図４】本発明に係る上層部表面部の構成を説明する平面図である。
【図５】本発明に係る下層部の構成を説明する拡大断面図である。
【符号の説明】
１    上層部
２    下層部
３    サポーター
４    電池
５    タイマー
６    ヒーター
７    不織布
８    粒状体
９    動物骨粉
１０  縫目
【図１】
0003683933.tif 000002
【図２】
0003683933.tif 000003
【図３】
0003683933.tif 000004
【図４】
0003683933.tif 000005
【図５】
0003683933.tif 000006